(57)【要約】【課題】  ＢＳ、ＣＳ、地上デジタル放送のネットワーク選択、ワンタッチ選局、３桁番号のチャンネル選択を誰にでも容易な操作で行えるデジタル放送受信装置を実現する。【解決手段】  ワンタッチ選局を行うためのリモコン１の第１の選択ボタン操作で選択された放送を受信する第１受信部２１（２３）と、第１の選択ボタンの操作後、受信した番組の復調及び復号化を行う所定時間内に第２の選択ボタンが選択されたことを２桁目キー押下検出部２９１ｂで検出し、第１受信部で受信された番組を表示部に表示させることを待機させる待機部２９３と、第２の選択ボタンが選択された後、第３の選択ボタンが選択されたことにより、表示を待機させた状態を解除して、第１〜第３の選択ボタンにより選択される番組を受信する第２受信部２３（２１）とで構成して実現した。【選択図】      図１
2006311027.tif 000002
【特許請求の範囲】
【請求項１】
放送局から符号化及びデジタル変調されて送信される複数の番組を受信すると共に、複数の選択ボタンを有する携帯操作部から送信される信号を受信する受信部及び前記受信部で受信した番組を表示させる表示部と、を有するデジタル放送受信装置において、
前記受信部は、
前記携帯操作部の第１の選択ボタンを選択することによって送信された信号を受信して１桁で表示される番組のチャンネルを選択する第１受信部と、
前記携帯操作部の第１の選択ボタンが選択された後、前記受信した番組の復調及び復号化を行うための所定時間内に第２の選択ボタンが選択されたことを検出し、前記第１受信部で受信された前記番組を前記表示部に表示させることを待機させる待機部と、
前記第２の選択ボタンが選択された後、第３の選択ボタンが選択されたことにより、前記第１受信部で受信された前記番組を前記表示部に表示させることを待機させた状態を解除して、前記第１〜第３の選択ボタンにより選択される番組を受信する第２受信部と、
を有することを特徴とするデジタル放送受信装置。
【請求項２】
前記第１受信部と前記第２受信部とを共通化した構成にしたことを特徴とする請求項１記載のデジタル放送受信装置。
【請求項３】
放送局から符号化及びデジタル変調されて送信される複数の番組を受信すると共に、複数の選択ボタンを有する携帯操作部から送信される信号を受信部で受信して、表示部に表示させるデジタル放送受信方法において、
前記携帯操作部の第１の選択ボタンを選択することによって送信された信号を受信して１桁で表示される番組のチャンネルを選択し、
前記携帯操作部の第１の選択ボタンが選択された後、前記受信した番組の復調及び復号化を行うための所定時間内に第２の選択ボタンが選択されたことを検出し、前記第１受信部で受信された前記番組を前記表示部に表示させることを待機させ、
前記第２の選択ボタンが選択された後、第３の選択ボタンが選択されたことにより、前記第１受信部で受信された前記番組を前記表示部に表示させることを待機させた状態を解除して、前記第１〜第３の選択ボタンにより選択される番組を受信することを特徴とするデジタル放送受信方法。
【発明の詳細な説明】
【技術分野】
【０００１】
本発明は、地上デジタル放送、ＢＳデジタル放送、及びＣＳデジタル放送を受信するデジタル放送受信装置及びデジタル放送受信方法に関する。
【背景技術】
【０００２】
最近になり、ＢＳデジタル放送やＣＳデジタル放送の受信者数も増加し、デジタル符号化処理のなされたゴーストのない精細度の高い映像が家庭で受信される様になってきた。そして、地上デジタル放送の出力電力も年々増加されるなど、サービスエリアも広がりつつある。
一方、従来のＶＨＦ帯が用いられて送信される地上アナログ放送は、チャンネル番号を選択することにより所望の受信が行えるなど、使用者はチャンネル番号と放送者とを直感的に結びつけてリモコンキーなどを操作し、ワンタッチ選局することにより目的の番組を受信している。
【０００３】
ＢＳデジタル放送の場合では、ワンタッチにより放送を受信する場合と、割り付け可能な３桁の数字を用いて同一放送周波数帯域内で受信される別番組を受信したり、３桁の数字を指定してデジタル音声放送やデータ放送を受信したりできる。その場合の３桁のチャンネル番号を入力するダイレクト選局により行うか、又はワンタッチ選局するかの操作は、予めチャンネル選択モードに用いる入力桁数を１又は３に設定しておくか、ないしは３桁入力設定用ボタンを操作した後にチャンネル選択用ボタン操作をするようにして所定の桁数のチャンネル番号入力するようにしている。
【０００４】
図６にデジタル放送受信装置を遠隔操作するリモコン１ａの外観を示す。そのリモコン１ａは、数字入力を行うための数字入力操作部（１〜１２のワンタッチボタン）１１と、アナログ地上放送、デジタル地上放送、ＢＳ放送、ＣＳ１放送、及びＣＳ２放送などの放送ネットワークを切り替えるためのネットワーク切り替え操作部１２と、受信チャンネルの３桁入力（ダイレクト選局）とワンタッチ選局を切り替えるための桁入力操作部１３とを有している。
【０００５】
図７に、リモコン１ａを用いて行うチャンネル選択の動作をフローチャートで示す。Ｓ（ステップ）９１で、ネットワーク切り替え操作部１２の操作などによる放送ネットワークの切り替え操作が検出される。検出された場合はＳ９２で受信ネットワークの切り替えを行う。次に、桁入力操作部１３の操作が検出される。操作が検出された場合は、受信チャンネルの入力桁数の３桁又は１桁（ワンタッチ選局）の変更が行われる。次に、数字入力操作部１１が操作されてチャンネル番号が入力される。Ｓ９６で、Ｓ９４により設定された桁数の全てが入力されたかを検出する。所定の桁数のチャンネル番号が入力された後に受信チューナの受信周波数などが所定の周波数に設定され、選局された番組の受信が開始される。
【０００６】
上記のように、従来のデジタル放送受信装置におけるチャンネル設定は、ネットワーク切り替え操作部１２、桁入力操作部１３、及び数字入力操作部１１の１〜３回、合計３〜５回のボタン操作により目的とする放送の受信チャンネルが設定される。
【０００７】
そのような煩雑なチャンネル選択操作を簡易に行わせるため、ダイレクト選局でＢＳ、ＣＳ、地上デジタル放送を受信するための統一したリモコン番号を推奨する活動もＡＲＩＢ（Association of Radio Industries and Businesses）などの標準化団体でなされている。放送者を特定するためのリモコン番号の対応付けは、使用者側での選局操作を容易にするため好ましい。
【０００８】
特許文献１には、デジタルＢＳ放送のチャンネル選局で見たいチャンネルに辿り着くまでの煩雑な操作を簡易にして行うチャンネル選択を、選局信号受信手段が受信したポジション選局信号に対応するチャンネルのチャンネルデータが現チャンネルのチャンネルデータと同一ストリーム内に存在するか否かをチェックし、チャンネルチェックの結果ポジション選局信号に対応するチャンネルデータが現チャンネルのチャンネルデータと同一ストリームデータ内に存在するとして検出された場合には現チャンネルをポジション選局信号に対応するチャンネルとし、存在しない場合には現チャンネルを所定量増加または減少させたチャンネルに変更するようにして、ワンタッチ選局用ボタンにアップ／ダウン選局機能も持たせることによりチャンネル変更を容易にしたデジタル放送受信機が開示されている。
【特許文献１】特開２００３−３４８４６５号公報
【発明の開示】
【発明が解決しようとする課題】
【０００９】
ところで、２０１１年にはＮＴＳＣによるアナログ放送は停波される。それ以降は地上デジタル放送又はＢＳデジタル放送が中心的な放送ネットワーク（放送メディア）になると考えられる。ＣＳデジタル放送のチャンネル選択は３桁の数字により行われている。今後とも、若年層、あるいはＣＳデジタル放送の視聴希望者は従来ＣＳなどで行われていたと同様のチャンネル選択操作をして、所望の放送を受信するものと思われる。しかし、高齢者を含む一般大衆に対しては、従来のＶＨＦ帯の放送受信でなされていたような、リモコンキーのワンタッチによるワンタッチ選局がなされること、及びデジタル放送がなされる伝送媒体がＣＳ、ＢＳ、及び地上のいずれの放送ネットワークであるかを意識することなく放送ネットワークフリーの考えによるチャンネル選択が出来るようにした、操作の簡易化されたデジタル放送受信装置を実現する必要がある。
【００１０】
しかしながら、特許文献１に開示される技術を用いる場合であっても、予め受信する放送ネットワークがＢＳか、ＣＳ１か、ＣＳ２か、地上放送であるかをネットワーク選択キーにより選択した後に、チャンネル入力操作をワンタッチキー操作で行うか又は３桁の番号入力で行うかを桁番号キー操作により選択して後に、１桁又は３桁のチャンネル番号を入力することが出来るものの、ＢＳ、ＣＳ、地上デジタル放送のチャンネル選択を従来のアナログテレビでなされていたように、放送ネットワークを意識することなく且つ放送チャンネルの桁数を指定することなく、所望の受信チャンネルの選択を簡易なキー操作により行うことはできなかった。
【００１１】
そこで、本発明は、上記のような問題点を解消するためになされたもので、ＢＳ、ＣＳ、地上デジタル放送のチャンネル選択を従来のアナログテレビでなされていたように、放送ネットワークを意識することなく且つチャンネルの桁数を指定することなく所望の受信チャンネルの選択を簡易なキー操作により行うことのできるデジタル放送受信装置を提供することを目的とする。
【課題を解決するための手段】
【００１２】
本願発明における第１の発明は、放送局から符号化及びデジタル変調されて送信される複数の番組を受信すると共に、複数の選択ボタンを有する携帯操作部から送信される信号を受信する受信部及び前記受信部で受信した番組を表示させる表示部と、を有するデジタル放送受信装置において、前記受信部は、前記携帯操作部の第１の選択ボタンを選択することによって送信された信号を受信して１桁で表示される番組のチャンネルを選択する第１受信部と、前記携帯操作部の第１の選択ボタンが選択された後、前記受信した番組の復調及び復号化を行うための所定時間内に第２の選択ボタンが選択されたことを検出し、前記第１受信部で受信された前記番組を前記表示部に表示させることを待機させる待機部と、前記第２の選択ボタンが選択された後、第３の選択ボタンが選択されたことにより、前記第１受信部で受信された前記番組を前記表示部に表示させることを待機させた状態を解除して、前記第１〜第３の選択ボタンにより選択される番組を受信する第２受信部と、を有することを特徴とするデジタル放送受信装置を提供する。
第２の発明は、前記第１受信部と前記第２受信部とを共通化した構成にしたことを特徴とする上記第１の発明に記載のデジタル放送受信装置を提供する。
本願発明における第３の発明は、放送局から符号化及びデジタル変調されて送信される複数の番組を受信すると共に、複数の選択ボタンを有する携帯操作部から送信される信号を受信部で受信して、表示部に表示させるデジタル放送受信方法において、前記携帯操作部の第１の選択ボタンを選択することによって送信された信号を受信して１桁で表示される番組のチャンネルを選択し、前記携帯操作部の第１の選択ボタンが選択された後、前記受信した番組の復調及び復号化を行うための所定時間内に第２の選択ボタンが選択されたことを検出し、前記第１受信部で受信された前記番組を前記表示部に表示させることを待機させ、前記第２の選択ボタンが選択された後、第３の選択ボタンが選択されたことにより、前記第１受信部で受信された前記番組を前記表示部に表示させることを待機させた状態を解除して、前記第１〜第３の選択ボタンにより選択される番組を受信することを特徴とするデジタル放送受信方法を提供する。
【発明の効果】
【００１３】
本発明によれば、携帯操作部の第１の選択ボタンを選択することによって送信された信号を受信して１桁で表示される番組のチャンネルを選択する第１受信部と、前記携帯操作部の第１の選択ボタンが選択された後、前記受信した番組の復調及び復号化を行うための所定時間内に第２の選択ボタンが選択されたことを検出し、前記第１受信部で受信された前記番組を表示部に表示させることを待機させる待機部と、前記第２の選択ボタンが選択された後、第３の選択ボタンが選択されたことにより、前記第１受信部で受信された前記番組を前記表示部に表示させることを待機させた状態を解除して、前記第１〜第３の選択ボタンにより選択される番組を受信する第２受信部との格別な構成があるので、ＢＳ、ＣＳ、地上デジタル放送のチャンネル選択を従来のアナログテレビでなされていたように、放送ネットワークを意識することなく且つチャンネルの桁数を指定することなく所望の受信チャンネルの選択を簡易なキー操作により行うことのできるデジタル放送受信装置を実現できる。
【発明を実施するための最良の形態】
【００１４】
以下に本発明の各実施例に係るデジタル放送受信装置について図１〜図５を用いて説明する。
図１は、本発明の実施に係るデジタル放送受信装置の構成例を示すブロック図である。
図２は、本発明の実施に係るデジタル放送受信装置の要部の構成例を示す図である。
図３は、本発明の実施に係るデジタル放送受信装置の動作をフローチャートで例示した図である。
図４は、本発明の実施に係るリモコンの外観図を例示する図である。
図５は、本発明の実施に係るデジタル放送受信装置の応用例の動作をフローチャートで示した図である。
【００１５】
そのデジタル放送受信装置はＢＳ、ＣＳ、地上デジタル放送のチャンネル選択を従来のアナログテレビでなされていたように、放送ネットワークを意識することなく且つチャンネルの桁数を指定することなく所望の受信チャンネルの選択を簡易なキー操作により行うという目的を、携帯操作部の第１の選択ボタンを選択することによって送信された信号を受信して１桁で表示される番組のチャンネルを選択する第１受信部と、前記携帯操作部の第１の選択ボタンが選択された後、前記受信した番組の復調及び復号化を行うための所定時間内に第２の選択ボタンが選択されたことを検出し、前記第１受信部で受信された前記番組を表示部に表示させることを待機させる待機部と、前記第２の選択ボタンが選択された後、第３の選択ボタンが選択されたことにより、前記第１受信部で受信された前記番組を前記表示部に表示させることを待機させた状態を解除して、前記第１〜第３の選択ボタンにより選択される番組を受信する第２受信部とで構成するようにして実現した。
【００１６】
デジタル放送受信装置の構成について述べる。
図１に示すデジタル放送受信装置２は、地上デジタルチューナ２１、ＤＥＭＵＸ（demultiplexing）２２、ＢＳ／ＣＳデジタルチューナ２３、ＤＥＭＵＸ２４、音声デコーダ２５、映像デコーダ２６、表示処理２７、リモコンインタフェース２８、及びシステムコントローラ２９より構成される。リモコンインタフェース２８にはリモコン（携帯操作部）１が赤外線で結合される。音声デコーダ２５にはスピーカ４が接続される。映像デコーダ２６にはモニタ５が接続される。
図２に示すシステムコントローラ２９は、１桁目キー押下検出部２９１ａ、２桁目キー押下検出部２９１ｂ、３桁目キー押下検出部２９１ｃ、ワンタッチ受信指示部２９２、受信待機指示部２９３、映像信号検出部２９４、チャンネル選択中断指示部２９５、３桁チャンネル受信指示部２９６、およびチャンネル変換テーブル２９７より構成される。
図４に示すリモコン１には１〜１２の数の付される数字入力操作部１１がある。
【００１７】
デジタル放送受信装置の動作について述べる。
まず、リモコン１の数字入力操作部１１のキー例えば「１」がワンタッチ受信チャンネル（ワンタッチボタン）として操作されると、その操作情報は変調された赤外光によりリモコンインタフェース２８を介して受信され、システムコントローラ２９に供給される。システムコントローラ２９からは数字入力操作部１１のキー「１」に関連付けられる例えば地上デジタル放送の放送者Ａの放送波の受信指示が地上デジタルチューナ２１に出される。地上デジタルチューナ２１はＵＨＦアンテナを介して得られる信号から放送者Ａに係る周波数の信号を取得する。次にＯＦＤＭ（Orthogonal Frequency Division Multiplexing）変調される信号をＦＦＴ（Fast Fourier Transform）変換して復調するためのＦＦＴ駆動用クロック信号及びシンボル同期信号を生成する。受信された信号をＦＦＴ変換した後にデインタリーブ、誤り訂正などを行って復調信号が得られる。地上デジタルチューナ２１から出力される。
【００１８】
地上デジタルチューナ２１から得られた復調信号であるＴＳ（Transport Stream）信号はＤＥＭＵＸ２２により音声信号、映像信号及び補助信号にそれぞれ分離される。圧縮符号化された音声信号はスイッチＳＷ１を介して音声デコーダ２５に入力され、そこで復号化されて受信番組の音声信号が得られる。スピーカ４に供給されて発音される。
ＭＰＥＧ（moving picture experts group）方式により圧縮符号化された映像信号はスイッチＳＷ２を介して映像デコーダ２６に入力され、そこで復号化される。復号化して得られた映像信号は表示処理２７により現在受信中のチャンネルに係る「１」がオンスクリーン表示された信号として生成され、モニタ５に入力されて表示される。
【００１９】
次に、リモコン１の数字入力操作部１１が操作されて３桁で指定されるチャンネル番号が選定されて受信する場合、例えばチャンネル「１２３」を指定して受信する場合について述べる。
まず、最初に数字入力操作部１１のキー「１」が操作される。システムコントローラ２９はワンタッチ受信チャンネル「１」を受信するための操作であると想定し、上記のワンタッチチャンネル１を受信するための指示を行う。使用者はワンタッチチャンネル１の受信開始に係り行われる動作に関係なく２桁目の「２」の入力操作を行う。２桁目のチャンネル番号が操作されたことを検出したシステムコントローラ２９はワンタッチ受信チャンネルの受信準備を待機（中断）させる。やがて３桁目の「３」の入力操作が行われると３桁の受信チャンネル「１２３」が特定される。したシステムコントローラ２９は地上デジタルチューナ２１及びＢＳ／ＣＳデジタルチューナ２３に対してチャンネル番号「１２３」のダイレクト選局受信を指示する。
【００２０】
システムコントローラ２９は、ワンタッチ受信チャンネルと放送ネットワーク及び受信チャンネルの関係を記述したテーブルを所有しており、さらに３桁の番号で指定される受信チャンネルはどのネットワークで受信されるかをテーブルにより保持しておくものとする。また、異なるネットワークで共通のチャンネル番号の信号が受信される場合には後述の方法により放送ネットワークの選択を行う。
【００２１】
次に、ワンタッチ受信チャンネルの選択と３桁の数字入力によるダイレクト選局の時間関係について述べる。
ワンタッチ受信チャンネル選択時に、チャンネル選択操作がなされてからそのチャンネルの映像信号が出力されるまでは、ほぼ２秒を要する。３桁数字入力時の２桁目の数字はその２秒未満に操作する。２桁目の数字を入力することにより３桁の数字入力がなされると認識されるため、３桁目の入力は２秒以上経過した場合でも有効とされる。即ち、ワンタッチ受信チャンネルの選択と３桁の数字入力によるダイレクト選局との識別は、１桁目の数字が入力された後、映像が出力される略２秒未満の間に２桁目のチャンネル選択ボタンが操作されたか否かにより行われる。
【００２２】
２秒未満の操作時間間隔について更に述べる。
地上デジタルチューナ２１はワンタッチ受信チャンネルを想定したチャンネル選択操作を検出して後にそのチャンネルの受信信号の復調を開始する。そして、ＯＦＤＭ変調信号を復調するためのクロック信号及びシンボル同期信号を生成し、ＦＦＴ変換し、デインタリーブ及び誤り訂正などの処理を行ってほぼ１秒後に復調信号が得られる。次に、映像デコーダ２６はＭＰＥＧにより圧縮符号化された復調信号の、０．５秒間隔で挿入されるフレーム内符号化された画像（Ｉピクチャ）を取得し、復号化し、復号化して得られたＩピクチャを用いてＰピクチャ及びＢピクチャの復号化を行う。復号化された動画像が得られる。復調信号が入力されてほぼ１秒後に復号映像が得られる。即ち、チャンネル選択の操作がなされてから約２秒後にワンタッチ受信チャンネル「１」の映像が出力可能とされる。
【００２３】
その復号化された映像信号が得られるまでの略２秒間の間に２桁目の入力操作がなされたか否かにより、ワンタッチ受信チャンネルによる受信であるか、又は３桁の数字で指定されるチャンネルによる受信であるかを識別して受信する。使用者は映像が受信された状態でワンタッチ受信チャンネル受信がなされたか、又は３桁入力によるダイレクト選局が可能であるかを容易に認識できる。特に、ゆっくりした動作でチャンネル選択操作を行う場合であっても、２桁目の入力は１秒程度で行えるため、ワンタッチ受信チャンネルの操作をしたり、又は３桁によるダイレクト選局の入力操作が可能である。高齢者にとっても優しいチャンネル選択操作が実現できる。
【００２４】
図２を参照してシステムコントローラについて詳細に述べる。
リモコン１の数字入力操作部１１の１桁目の操作情報は、１桁目キー押下検出部２９１ａにより検出される。ワンタッチ受信指示部２９２は１桁目キー押下検出部２９１ａでの検出結果を基に、チャンネル変換テーブル２９７に記述される受信チャネルを参照して地上デジタルチューナ２１ないしはＢＳ／ＣＳデジタルチューナ２３に対してワンタッチ受信の開始を指示する。ここで映像信号検出部２９４により映像デコーダ２６からの映像信号が検出された場合にはチャンネル選択中断指示部２９５によりチャンネル選択操作の中断が指示され、受信される番組を継続して表示する。
【００２５】
２桁目キー押下検出部２９１ｂにより、チャンネル選択操作の中断が指示される前に２桁目の入力操作が検出された場合には、受信待機指示部２９３より音声デコーダ２５及び映像デコーダ２６に対して復号動作の中断指示がなされる。また、ワンタッチ受信指示部２９２から地上デジタルチューナ２１、ＢＳ／ＣＳデジタルチューナ２３に対してワンタッチ受信の中断指示が出される。その後、例えば５秒程度のタイムアウト時間を設け、その間に３桁目の入力操作を行う。３桁目のチャンネル番号が入力され、受信チャンネルが確定した後に、３桁チャンネル受信指示部２９６から地上デジタルチューナ２１、ＢＳ／ＣＳデジタルチューナ２３に対してダイレクト選局による受信の指示が出される。
【００２６】
図３を参照してデジタル放送受信装置２のチャンネル選択の流れを説明する。
Ｓ（ステップ）６１においてリモコン１の数字入力操作部１１が操作されたかを検出する。検出されたときにはＳ６２でワンタッチ受信チャンネルによる受信動作の開始を指示する。Ｓ６３で映像デコーダ２６から映像信号が出力されているかを検出する。映像信号出力が検出された場合には選局動作を中断し、出力される番組の受信を継続する。映像信号の出力が検出されない場合にはＳ６４で２桁目のキー操作がなされたかを検出する。Ｓ６４の動作は復号化された映像が出力されるまで、又は２桁目のキー操作がなされるまで継続される。２桁目のキー操作が検出された場合はＳ６５でワンタッチ選局指示が停止（待機）される。Ｓ６６で３桁目の入力が検出され、Ｓ６９でチャンネル選択がなされ、Ｓ７１で復号映像が検出されたらチャンネル選択操作を終了する。
【００２７】
図４を参照して本実施例のデジタル放送受信装置２と共に用いられるリモコン１について述べる。
リモコン１は、従来から用いられている図６に示したリモコン１ａに比し、ネットワーク切り替え操作部１２及び桁入力操作部１３の操作ボタンを削除してある。ボタンの数を少なくし操作を簡易にしたものである。上述の様に、ワンタッチ選局とダイレクト選局とを操作時間により切り替えるようにしているため、煩雑な操作が必要なく高齢者にも好適なボタン配置になっている。
【００２８】
現在、地上デジタル、ＢＳデジタル、ＣＳデジタルなど放送ネットワーク内では３桁のチャンネル番号により放送番組を特定するようなチャンネル番号の設定が進められている。そして、それらの放送ネットワークの間では共通の３桁の番号も使用されることがあるため受信チャンネルの設定は３桁の番号の他に放送ネットワークを指定する選択を共に行う必要がある。
【００２９】
そこで、３桁の数字の手前、又は３桁の数字の後に１桁の数字を付し、その付された数字により放送ネットワークの指定を行う。
上述のように、ワンタッチ選局と３桁の番号によるダイレクト選局とを自動的に識別して行うチャンネル選択の場合では、放送ネットワークを第４桁目で指定する方が後述の理由により好ましい。
【００３０】
図５を参照してデジタル放送受信装置の応用例としての放送ネットワークの切り替えについて述べる。図３に示したフローチャートと同じ動作には同じ番号を付し説明を省く。
Ｓ６６において３桁目のキー操作終了後、Ｓ６７において４桁目のキー操作を検出する。キー操作の検出後Ｓ６８で指定されたネットワークを選択する。システムコントローラ２９は地上デジタルチューナ２１、及びＢＳ／ＣＳデジタルチューナ２３の選択された方のチューナにより受信を行う。Ｓ６９で、一つの伝送チャンネルで伝送されている複数の番組をＮＩＴ（Network Information Table）により識別し、その中から選択されたチャンネルのストリームをＤＥＭＵＸ２２により分離する。所望の受信チャンネルのストリームを得る。得られたストリームはシステムコントローラ２９により制御されるスイッチＳＷ１及びＳＷ２がａ側又はｂ側に切り替えられて、ストリームは音声デコーダ２５及び映像デコーダ２６に供給される。Ｓ７１で、映像デコーダ２６からの映像出力が検出された場合にチャンネル選択動作を終了する。
【００３１】
ここで、Ｓ６６により３桁目のチャンネルキーが押され、ダイレクト選局されたチャンネルの信号が受信される場合は映像信号が復号される。それは、異なるネットワークでありながらお互いに同一のチャンネル番号による放送がなされ、受信される場合である。同一の番組が異なるネットワークで同時に放送されている場合はＳ６７でネットワークを選択し、Ｓ６８でネットワークを切り替えても受像される番組は同一内容であるため、視聴上の違和感は少ない。
【００３２】
図５に示した応用例では、ネットワーク選択を含めた４桁の数字によりチャンネル選択を行うため、使用者はネットワークを選択した後にチャンネル選択をしなければならないとされる煩雑さがない。地上波、ＢＳ、ＣＳ１、及びＣＳ２など複数のネットワークで放送される信号を簡易に受信するリモコンキーの操作が行える。
この操作方法では、４桁のチャンネル選択用番号を２桁づつ連続して操作することにより、スムーズなチャンネル選択が可能である。４桁の番号を短い時間間隔で入力するのは使用者により煩わしい場合もあるが、２桁づつを連続的に入力する操作は高齢者にとっても容易な操作方法である。
【００３３】
なお、ワンタッチ選局により行う受信は、放送ネットワークが地上デジタル放送であることを想定して述べた。ワンタッチ選局で扱う放送が、例えばＢＳデジタル放送である場合は１桁目のボタン操作後約１秒で受信映像が得られる。その場合は、得られた受信映像をそのまま表示せずに、表示処理２７でミューティング処理を行い、２秒後に映像を表示するようにしても良い。さらに、上記１秒間のミューティング処理は、使用者の操作により中止しても良い。若年者はミューティング処理を行うことなく１秒未満で２桁目のチャンネル番号入力を行い、高齢者は２秒未満での２桁目のチャンネル番号を入力するようにしてワンタッチ選局とダイレクト選局との自動切替を行うことができる。
【００３４】
以上のように、本実施例で示したデジタル放送受信装置２によれば、携帯操作部（リモコン）１の第１の選択ボタンを選択することによって送信された信号を受信して１桁で表示されるワンタッチ受信チャンネルを選択する第１受信部２１（２３）と、前記携帯操作部１の第１の選択ボタンが選択された後、前記受信した番組の復調及び復号化を行うための所定時間内に第２の選択ボタンが選択されたことを２桁目キー押下検出部２９１ｂで検出し、前記第１受信部で受信された前記番組を表示部に表示させることを待機させる待機部２９３と、前記第２の選択ボタンが選択された後、第３の選択ボタンが選択されたことにより、前記第１受信部で受信された前記番組を前記表示部５に表示させることを待機させた状態を解除して、前記第１〜第３の選択ボタンにより選択される３桁で指定される番組を受信する第２受信部２３（２１）、とで構成するようにしているため、ＢＳ、ＣＳ、地上デジタル放送のチャンネル選択を従来のアナログテレビでなされていたように、放送ネットワーク（ネットワーク）を意識することなく且つチャンネルの桁数を指定することなく所望の受信チャンネルの選択を簡易に行うことができる。
【産業上の利用可能性】
【００３５】
キーのワンタッチ操作により、又は３桁以上の数字を操作して所望の受信チャンネルを選択する地上、ＢＳ、ＣＳデジタル放送受信用デジタル放送受信装置に適用できる。
【図面の簡単な説明】
【００３６】
【図１】本発明の実施に係るデジタル放送受信装置の構成例を示すブロック図である。
【図２】本発明の実施に係るデジタル放送受信装置の要部の構成例を示す図である。
【図３】本発明の実施に係るデジタル放送受信装置の動作例をフローチャートで示した図である。
【図４】本発明の実施に係るリモコンの外観図を例示する図である。
【図５】本発明の実施に係るデジタル放送受信装置の応用例の動作をフローチャートで示した図である。
【図６】従来のデジタル放送受信装置に係るリモコンの外観を示す図である。
【図７】従来のチャンネル選択動作をフローチャートで示した図である。
【符号の説明】
【００３７】
１、１ａ    リモコン
２    デジタル放送受信装置
４    スピーカ
５    モニタ
１１    数字入力操作部
１２    ネットワーク切り替え操作部
１３    桁入力操作部
２１    地上デジタルチューナ
２２    ＤＥＭＵＸ
２３    ＢＳ／ＣＳデジタルチューナ
２４    ＤＥＭＵＸ
２５    音声デコーダ
２６    映像デコーダ
２７    表示処理
２８    リモコンインタフェース
２９    システムコントローラ
２９１ａ    １桁目キー押下検出部
２９１ｂ    ２桁目キー押下検出部
２９１ｃ    ３桁目キー押下検出部
２９２    ワンタッチ受信指示部
２９３    受信待機指示部
２９４    映像信号検出部
２９５    チャンネル選択中断指示部
２９６    ３桁チャンネル受信指示部
２９７    チャンネル変換テーブル
【図１】
2006311027.tif 000003
【図２】
2006311027.tif 000004
【図３】
2006311027.tif 000005
【図４】
2006311027.tif 000006
【図５】
2006311027.tif 000007
【図６】
2006311027.tif 000008
【図７】
2006311027.tif 000009